(57)【要約】【課題】  底板を有しない支持体に収納される引出しにも適用することができ、また引出し本体の下側ではなく上側で解放操作することができ、取扱いが容易であること。【解決手段】  引出し支持体２０とこの引出し支持体２０内に進退自在に支持された引出し本体１４との間に設けられて引出し本体１４が所定前進位置にあるときに引出し本体１４の後退を解放自在にロックするものであり、引出し本体１４の所定前進位置で引出し支持体２０外に露出するストッパ部材４２が引出し本体１４にピボット止めされ、このストッパ部材４２は、引出し本体１４の所定前進位置で回動して引出し支持体の一部に係止する。【選択図】  図３
2007175378.tif 000002
【特許請求の範囲】
【請求項１】
引出し支持体と前記引出し支持体に進退自在に支持された引出し本体との間で前記引出し本体が所定前進位置にあるときに前記引出し本体の後退を解放自在にロックする引出し固定手段を備えた引出し固定装置において、前記引出し固定手段は、前記引出し本体の前記所定前進位置で前記引出し支持体外で上方又は側方に露出して前記引出し支持体の一部に係止することができるように枢動することができるように前記引出し本体にピボット止めされた少なくとも１つのストッパ部材から成っていることを特徴とする引出し固定装置。
【請求項２】
請求項１に記載の引出し固定装置であって、前記ストッパ部材は、鉤状ヘッドを有することを特徴とする引出し固定装置。
【請求項３】
請求項１又は２に記載の引出し固定装置であって、前記引出し本体は、前記ストッパ部材を係止するストッパ台座を有することを特徴とする引出し固定装置。
【請求項４】
請求項３に記載の引出し固定装置であって、前記ストッパ台座は、前記引出し本体の底板と後壁とに跨って位置されていることを特徴とする引出し固定装置。
【請求項５】
請求項２又は４に記載の引出し固定装置であって、前記鉤状ヘッドは、引出し係止位置では前記引出し支持体の壁の一部に係合するが、前記引出し非係止位置では前記ストッパ台座に係止することを特徴とする引出し固定装置。
【発明の詳細な説明】
【技術分野】
【０００１】
本発明は、机、本棚、食器棚、箪笥等の如き種々の事務用、家事用の引出し付き収納具に用いられる引出し固定装置の改良に関するものである。
【背景技術】
【０００２】
種々の引出し付き収納具の引出しの前進開放位置で引出しが後退しないようにロックする引出し固定装置が提案されている（特許文献１参照）。
【０００３】
従来技術の引出し固定装置は、引出し本体が収納される筐体の如き引出し支持体の底板に設けられたストッパと、引出し本体の底面に設けられ引出し本体の前進時にこのストッパをばねに抗して乗り越え、所定の前進開放位置に達すると、ばねによってストッパに係止して引出し本体をロックする係止部を有するロック杆とから成っている。
【０００４】
しかし、このような構造の引出し固定装置は、底板を有しない下部開放型の引出し支持体に収納される引出しには適用することができないし、引出しのロックを解放するためには、引出し本体の下方にある操作部またはつまみを手探りで操作しなければならないので、解放操作性が低い欠点があった。
【０００５】
また、係止部をストッパに係止するために引出し本体の下方にばねを取付けなければならないので、構造が複雑となる上に、ロックと解放との繰り返しの動作によってばねが疲労し、故障し易い欠点があった。
【０００６】
【特許文献１】特許第２７４８０９８号公報
【発明の開示】
【発明が解決しようとする課題】
【０００７】
本発明が解決しようとする１つの課題は、底板を有しない引出し支持体に収納される引出しにも適用することができ、また引出し本体の下側ではなく上側で解放操作することができ、取扱いが容易である引出し固定装置を提供することにある。
【０００８】
本発明が解決しようとする他の課題は、構造が簡単であり、故障を起こすことが少ない引出し固定装置を提供することにある。
【課題を解決するための手段】
【０００９】
本発明の基本的な課題解決手段は、引出し支持体とこの引出し支持体に進退自在に支持された引出し本体との間で引出し本体が所定前進位置にあるときに引出し本体の後退を解放自在にロックする引出し固定手段を備えた引出し固定装置において、引出し固定手段は、引出し本体の所定前進位置で引出し支持体外で上方又は側方に露出して引出し支持体の一部に係止することができるように枢動することができるように引出し本体にピボット止めされた少なくとも１つのストッパ部材から成っていることを特徴とする引出し固定装置を提供することにある。
【００１０】
本発明の基本的な課題解決手段において、ストッパ部材は、鉤状ヘッドを有するのが好ましく、また引出し本体は、ストッパ部材を係止するストッパ台座を有するのが好ましい。
【００１１】
この場合、ストッパ台座は、引出し本体の底板と後壁とに跨って位置されているのが望ましく、また鉤状ヘッドは、引出し係止位置では引出し支持体の壁の一部に係合するが、引出し非係止位置ではストッパ台座に係止するのが好ましい。
【発明の効果】
【００１２】
本発明によれば、上記のように、引出し固定手段が引出し本体の所定前進位置で引出し支持体外に露出して引出し支持体の壁の一部に係止することができるように枢動することができるストッパ部材から成っているので、引出し本体を前進して開いた時に、引出し支持体外に露出するストッパ部材を指で回動して引出し支持体の壁の一部に係止する係止位置に操作することによって引出し本体を固定（ロック）することができ、従って引出し固定手段は、引出し支持体に底板を有しなくても適用することができる。
【００１３】
また、引出し固定手段は、引出し本体の上方又は側方に設けることができるので、ロックの解放を引出し本体の上側で操作することができ、従来技術のように手探りで解放操作を必要とすることがなく、取扱いが容易となる。
【００１４】
更に、ばねを用いる必要がなく構造が簡単となる上に、長期の使用によって疲弊する部品が不要となり、故障を起こすことがない。
【発明を実施するための最良の形態】
【００１５】
本発明の１つの実施の形態による引出し固定装置を以下に図面を参照して詳細に述べる。図示の形態では、引出し１０は、図１及び図２に示すように、観音開き式の戸棚１２の下方に取付けられており、この引出し１０は、戸棚１２の底板を天板２２としその両側に取付けられた１対の支持枠２４ＦＲ、２４ＦＬ（両者を総称して２４Ｆと称する）から成る引出し支持体２０内に進退自在に支持された引出し本体１４から成っているのが示されている。
【００１６】
引出し本体１４は、図３乃至図５から解かるように、左右の側板１４ＳＲ、１４ＳＬ（両者を総称して１４Ｓと称する）とこれらの左右の側板１４Ｓの下縁より若干上方の位置でこれらの左右の側板１４Ｓの間に固定された底板１４Ｂと、左右の側板１４Ｓの間と底板１４Ｂの前縁とに固定された鏡板１４Ｆと、側板１４Ｓの後端間で底１４Ｂより下方の部分を残して固定された後板１４Ｒとから成っている。
【００１７】
この引出し本体１４は、左右の側板１４Ｓに取付けられた可動レール１６Ｍと引出し支持体２０の支持枠２４Ｆに取付けられ可動レール１６Ｍを摺動自在に支持する固定レール１６Ｓとを含むレール手段１６によって引出し支持体２０に進退自在に支持されている。
【００１８】
引出し固定装置３０は、引出し支持体２０とこの引出し本体１４との間に設けられ、引出し本体１４が所定前進位置にあるときに引出し本体１４の後退を解放自在にロックする引出し固定手段４０から成っている。
【００１９】
本発明に用いられる引出し固定手段４０は、引出し本体１４の所定前進位置で引出し支持体２０外で上方又は側方に露出して引出し支持体２０の一部に係止することができるように枢動することができる少なくとも１つのストッパ部材４２から成っている。
【００２０】
図示の形態の引出し固定手段４０は、図３乃至図５に示すように、引出し本体１４の左右の中間位置で後端上方に設けられた１つのストッパ部材４２を有し、このストッパ部材４２は、引出し本体２０の底板１４Ｂの後端を立ち上げて形成されたストッパ台座４４の１対のブラケット４４ＢＲ間にピボット軸４６によってピボット止めされている。
【００２１】
ストッパ部材４２は、図３乃至図５及び図６から解かるように、１対のブラケット４４ＢＲ間の間隔寸法よりも若干小さい幅寸法を有する略矩形状のストッパ板４２Ｐから成っており（図６参照）、このストッパ板４２Ｐは、引出し非係止位置（図３（Ａ）（Ｂ）の位置）における後方両端の１対のブラケット４４ＢＲ間を延びるピボット軸４６に支持される支持片４２ＰＳを有する。このストッパ板４２Ｐは、引出し非係止位置では、ストッパ台座４４の前縁立上り部４４Ｒ上に載って支持されている（図３（Ａ）及び図７（Ａ）参照）。
【００２２】
また、ストッパ部材４２は、鉤状ヘッド４２Ｆを有するのが好ましく、この鉤状ヘッド４２Ｆは、図３（Ｃ）に示すように、引出し係止位置では引出し支持体２０の天板２２の前端壁の一部に係合するが、ストッパ台座４４に支持される引出し非係止位置ではストッパ台座４４の前面である前縁立上り部４４Ｒに係止する。
【００２３】
次に、本発明の引出し固定装置３０の使用状態を図３乃至図５を参照して述べると、引出し１０が支持体２０内に引き込まれた後退位置（引出し本体１４が支持体２０に収納された位置又は引出し非係止位置）では、図３（Ａ）に示すように、引出し固定手段４０のストッパ部材４２は、ストッパ台座４４の上に載っていてその先端の鉤状ヘッド４２Ｆはストッパ台座４４の前縁立上がり部４４Ｒに係止して掛止めされた状態となっている。
【００２４】
引出し１０を開くため、引出し本体１４を引き出し、図３（Ｂ）に示すように、完全に引き出した状態になると、引出し固定手段４０のストッパ部材４２が支持体２０から露出する。この状態では、ストッパ部材４２は、支持体２０から開放されるため、ストッパ部材４２をピボット軸４６を中心に図３（Ｂ）の時計方向に指で回動して図３（Ｃ）及び図７（Ｂ）に示すように、ストッパ部材４２の先端の鉤状ヘッド４２Ｆを支持体２０の一部である天板２２の前端面に係合することができるので、ストッパ部材４２が引出し係止位置（ロック位置または固定位置）となる。
【００２５】
ストッパ部材４２の引出し係止位置は、引出し本体１４の後壁１４Ｒにストッパ部材４２が載って維持される。なお、ストッパ部材４２の鉤状ヘッド４２Ｆは、特に、図７（Ａ）に示すように、ストッパ台座４４の前縁立上り部４４Ｒから前方に突出しているので、ストッパ部材４２を指で回動する際に、ストッパ部材４２を指で引っ掛けて摘むのを容易にし、また図７（Ｂ）に示すように、ストッパ部材４２が支持体２０の天板２２の前端面に大きな面積で接触してストッパ作用を補強するのに役立つ。
【００２６】
引出し１０を閉じる際には、ストッパ部材４２を図３（Ｃ）の位置から反時計方向に回動して図３（Ｂ）の位置に戻し、その後、引出し本体１４を支持体２０内に引き込んで後退位置とする。この場合にも、ストッパ部材４２の鉤状ヘッド４２Ｆは、指を引っ掛けてストッパ部材４２を回動するのを容易にする。
【００２７】
上記実施の形態では、引出し本体１４が支持体２０から完全に引き出された状態で引出し本体１４をロックするように構成されているが、引出し本体１４の後端部分がまだ支持体２０内にある不完全な引出し状態で引出し本体１４をロックするようにしてもよいし、引出し本体１４を完全に引き出した状態と部分的に残して不完全に引き出した状態と両方のように多段位置で引出し本体１４をロックするようにすることもできる。
【００２８】
こように、引出し本体１４が不完全に引き出された状態でロックする場合には、引出し固定手段４０は、引出し本体１４の幅方向の中央ではなく、両側（引出し本体１４の内側でも外側でもよい）に配置することが必要であるが、多段ロックでは、最終段のロックは、図示のように、中間位置で行っていてもよい。
【００２９】
また、上記実施の形態では、支持体２０は、戸棚１２の底板を天板２２とし、これと１対の支持枠２４Ｆとで構成されているが、支持体２０は、この形態に限ることなく、例えば、机の引出し収納部、箪笥等の多段引出しの各段のフレームであってもよい。
【００３０】
更に、図示の形態のように、引出し本体１４の中間位置でロックする場合には、引出し本体１４は、その底板１４Ｂの後端を立ち上げて形成されたストッパ台座４４を有して、ストッパ部材４２をこのストッパ台座４４に支持しているが、ストッパ台座４４を設けることなく、引出し本体１４の後壁１４Ｒに支持し、引出し非係止位置では、ストッパ部材４２が後壁１４Ｒに平行に垂れ下がってその鉤状ヘッド４２Ｆが後壁１４Ｒに係合するようにしてもよい。
【産業上の利用可能性】
【００３１】
本発明によれば、引出し本体の所定前進位置で支持体外に露出するストッパ部材を指で回動して支持体の壁の一部に係止するようにしたので、引出し固定手段は、引出し支持体の底板と引出し本体との間に限らず、任意の位置に設けることができ、また、ロックの解放を引出し本体の上側で操作することができ、取扱いが容易となる上に、長期の使用によって疲弊する部品がなく、故障を起こすことがないので、産業上の利用性が高い。
【図面の簡単な説明】
【００３２】
【図１】本発明に係る引出し固定装置を備えた引出し付き戸棚の正面図である。
【図２】本発明の１つの実施形態による引出し固定装置を備えた引出しを開いた状態の上面図である。
【図３】図２の引出し固定装置の異なる状態を示し、同図（Ａ）は、引出し後退位置の側断面図、同図（Ｂ）は、引出し前進位置であるが非係止位置の側断面図、同図（Ｃ）は、同図（Ｂ）からストッパ部材を回動して引出し係止位置（ロック位置）とした状態の側断面図である。
【図４】図３（Ａ）のＩＶ−ＩＶ線断面図である。
【図５】図３（Ｃ）のＶ−Ｖ線断面図である。
【図６】図１乃至図３の実施の形態で用いられているストッパ部材の斜視図である。
【図７】図３（Ｂ）（Ｃ）の要部をそれぞれ拡大した断面図である。
【符号の説明】
【００３３】
１０      引出し
１２      戸棚
１４      引出し本体
１４Ｓ、１４ＳＲ、１４ＳＬ  側板
１４Ｂ    底板
１４Ｆ    鏡板
１４Ｒ    後板
１６      レール手段
１６Ｍ    可動レール
１６Ｓ    固定レール
２０      支持体
２２      天板
２４Ｆ、２４ＦＲ、２４ＦＬ  １対の支持枠
３０      引出し固定装置
４０      引出し固定手段
４２      ストッパ部材
４２Ｐ    ストッパ板
４２ＰＳ  支持片
４２Ｆ    鉤状ヘッド
４４      ストッパ台座
４４ＢＲ  １対のブラケット
４４Ｒ    前縁立上り部
４６      ピボット軸
【図１】
2007175378.tif 000003
【図２】
2007175378.tif 000004
【図３】
2007175378.tif 000005
【図４】
2007175378.tif 000006
【図５】
2007175378.tif 000007
【図６】
2007175378.tif 000008
【図７】
2007175378.tif 000009